(57)【要約】      （修正有）【課題】ＵＳＢ充電機能を備え、車内スペースを占有することなく消臭機能を充実させた車載芳香消臭器を提供する。【解決手段】ケーシング１を含み、ケーシング１にはコントローラ及び芳香源が内蔵され、ケーシング１の表面にはＵＳＢインターフェース３と電源プラグ４が設けられ、ＵＳＢインターフェース３が充電回路を介してコントローラに接続され、コントローラは電源プラグ４に電気的に接続され、ケーシング１の表面には排気口が更に設けられる。車載芳香消臭器は、芳香源と排気口によって車内の空気を芳香消臭可能である。使用者が外部機器（携帯電話、タブレットＰＣ等）を充電したい場合には、ＵＳＢインターフェース３を通して車載芳香消臭器に接続するだけで、電源プラグ４を介して自動車の電源から外部機器への充電が可能となる。【選択図】図１
0003212444.tif 000002
【実用新案登録請求の範囲】
【請求項１】
ケーシングを含む車載芳香消臭器であって、
前記ケーシングにはコントローラ及び芳香源が内蔵され、前記ケーシングの表面にはＵＳＢインターフェースと電源プラグが設けられ、前記ＵＳＢインターフェースは充電回路を介して前記コントローラに接続され、前記コントローラは電源プラグに電気的に接続され、
前記ケーシングの表面には、排気口が更に設けられていることを特徴とする車載芳香消臭器。
【請求項２】
前記ケーシングの表面には吸気口が更に設けられ、前記ケーシングにはターボファンが内蔵され、
前記ターボファンの排気口は前記排気口を向いており、
前記コントローラは、前記ターボファンと制御スイッチにそれぞれ電気的に接続され、
前記制御スイッチはケーシングの表面に設けられることを特徴とする請求項１記載の車載芳香消臭器。
【請求項３】
前記ケーシングは上下２つの部分に分割され、前記ＵＳＢインターフェースはケーシング上部に位置し、前記電源プラグはケーシング下部の基端に位置し、ケーシング上部と下部は回転可能に接続されることを特徴とする請求項１記載の車載芳香消臭器。
【請求項４】
前記吸気口は前記ケーシング上部に位置し、前記排気口は前記ケーシングの先端部に位置することを特徴とする請求項２記載の車載芳香消臭器。
【請求項５】
前記ケーシングの表面にはＬＥＤランプが更に設けられ、前記ＬＥＤランプは前記コントローラに電気的に接続されることを特徴とする請求項２記載の車載芳香消臭器。
【請求項６】
前記ＬＥＤランプは前記制御スイッチの外縁を取り囲むように設けられることを特徴とする請求項５記載の車載芳香消臭器。
【考案の詳細な説明】
【技術分野】
【０００１】
本考案は車内用品に関し、具体的には車載芳香消臭器に関する。
【背景技術】
【０００２】
現在、車内の異臭を除去するために、一般的には芳香用品を車内に置くことが選択されている。市販の芳香用品には様々なものがあるが、通常は芳香作用のみを有しており、機能が単一的であった。
【考案の概要】
【考案が解決しようとする課題】
【０００３】
従来技術の不足に鑑みて、本考案は、芳香作用を備えるとともにＵＳＢ充電機能を提供可能であり、車内スペースを余分に占有することなく消臭機能を充実させた車載芳香消臭器を提供することを目的とする。
【課題を解決するための手段】
【０００４】
上記の目的を実現するために、本考案では以下の技術方案を用いた。
【考案の効果】
【０００５】
車載芳香消臭器であって、ケーシングを含み、前記ケーシングにはコントローラ及び芳香源が内蔵され、前記ケーシングの表面にはＵＳＢインターフェースと電源プラグが設けられ、前記ＵＳＢインターフェースは充電回路を介して前記コントローラに接続され、前記コントローラは電源プラグに電気的に接続され、前記ケーシングの表面には、排気口が更に設けられる。
【０００６】
前記車載芳香消臭器は、前記芳香源と排気口によって車内の空気を芳香消臭可能である。使用者が外部機器（携帯電話、タブレットＰＣ等）を充電したい場合には、前記ＵＳＢインターフェースを通して前記車載芳香消臭器に接続するだけで、前記電源プラグを介して自動車の電源から外部機器への充電が可能となる。前記車載芳香消臭器では芳香機能とＵＳＢ充電機能とを統合しているため、余分なスペースを占有することなく車載芳香消臭器の実用機能が充実し、結果として消臭器の実用性がより強化される。
【０００７】
好ましい方案として、前記ケーシングの表面には吸気口が更に設けられ、前記ケーシングにはターボファンが内蔵され、前記ターボファンの排気口は前記排気口を向いており、前記コントローラは前記ターボファンと制御スイッチにそれぞれ電気的に接続され、前記制御スイッチはケーシングの表面に設けられる。前記ターボファンと吸気口によって空気循環が加速され、車内の空気の芳香と拡散がより素早く実現される。
【０００８】
好ましい方案として、前記ケーシングは上下２つの部分に分割され、前記ＵＳＢインターフェースはケーシング上部に位置し、前記電源プラグはケーシング下部の基端に位置し、ケーシング上部と下部は回転可能に接続される。電源プラグを車内の電源ソケットに差し込むと、下部は固定されるが上部は回転可能となる。よって、使用者は、必要に応じてＵＳＢインターフェースを特定の方向に回転させられ、接続及び使用に便利である。
【０００９】
更に好ましい方案として、前記吸気口は前記ケーシング上部に位置し、前記排気口は前記ケーシングの先端部に位置する。
【００１０】
更に好ましい方案として、前記ケーシングの表面にはＬＥＤランプが更に設けられ、前記ＬＥＤランプは前記コントローラに電気的に接続される。
【００１１】
更に好ましい方案として、前記ＬＥＤランプは前記制御スイッチの外縁を取り囲むように設けられる。
【００１２】
本考案は、以下の有益な効果を有する。
【００１３】
前記車載芳香消臭器は、前記芳香源と排気口によって車内の空気を芳香消臭可能である。使用者が外部機器（携帯電話、タブレットＰＣ等）を充電したい場合には、前記ＵＳＢインターフェースを通して前記車載芳香消臭器に接続するだけで、前記電源プラグを介して自動車の電源から外部機器への充電が可能となる。前記車載芳香消臭器では芳香機能とＵＳＢ充電機能とを統合しているため、余分なスペースを占有することなく車載芳香消臭器の実用機能が充実し、結果として消臭器の実用性がより強化される。
【図面の簡単な説明】
【００１４】
【図１】図１は、本考案の正面構造を示す図である。
【図２】図２は、本考案の背面構造を示す図である。
【図３】図３は、本考案の側面図である。
【図４】図４は、本考案の原理を示す図である。
【考案を実施するための形態】
【００１５】
以下に、図面を組み合わせて本考案につき更に詳述する。なお、本実施例は本技術方案を前提として詳細な実施形態と具体的な操作過程を提示するが、本考案の保護の範囲は本実施例に限定されない。
【００１６】
図１〜４に示すように、車載芳香消臭器はケーシング１を含む。前記ケーシング１には、コントローラ２及び芳香源（図示しない）が内蔵されている。また、前記ケーシング１の表面にはＵＳＢインターフェース３と電源プラグ４が設けられている。前記ＵＳＢインターフェース３は、充電回路５を介して前記コントローラ２に接続され、前記コントローラ２は電源プラグ４に電気的に接続されている。前記ケーシング１の表面には、排気口６が更に設けられている。本実施例では、前記電源プラグとしてシガレットライタープラグを用い、自動車のシガレットライターソケットを電源とする。
【００１７】
ここで、前記車載芳香消臭器は、前記芳香源と排気口によって車内の空気を芳香消臭可能である。使用者が外部機器（携帯電話、タブレットＰＣ等）を充電したい場合には、前記ＵＳＢインターフェースを通して前記車載芳香消臭器に接続するだけで、前記電源プラグを介して自動車の電源から外部機器への充電が可能となる。前記車載芳香消臭器では芳香機能とＵＳＢ充電機能とを統合しているため、余分なスペースを占有することなく車載芳香消臭器の実用機能が充実し、結果として消臭器の実用性がより強化される。
【００１８】
好ましい方案として、前記ケーシング１の表面には吸気口７が更に設けられ、前記ケーシングにはターボファン８が内蔵される。前記ターボファン８の排気口は前記排気口６を向いている。前記コントローラ２は、前記ターボファン８と制御スイッチ９にそれぞれ電気的に接続されている。前記制御スイッチ９はケーシング１の表面に設けられる。前記ターボファン８と吸気口７によって空気循環が加速され、車内の空気の芳香と拡散がより素早く実現される。
【００１９】
好ましい方案として、前記ケーシング１は上下２つの部分１１と１２に分割される。前記ＵＳＢインターフェース３はケーシング上部１１に位置し、前記電源プラグ４はケーシング下部１２の基端に位置する。ケーシング上部１１と下部１２は回転可能に接続される。電源プラグを車内の電源ソケットに差し込むと、下部は固定されるが上部は回転可能となる。よって、使用者は、必要に応じてＵＳＢインターフェースを特定の方向に回転させられ、接続及び使用に便利である。
【００２０】
更に好ましい方案として、前記吸気口７は前記ケーシング上部１１に位置し、前記排気口６は前記ケーシング１の先端部に位置する。
【００２１】
更に好ましい方案として、前記ケーシング１の表面にはＬＥＤランプ１０が更に設けられ、前記ＬＥＤランプ１０は前記コントローラ２に電気的に接続される。前記ＬＥＤランプによって、前記ターボファンが起動したか否かを使用者が目視しやすくなるとの作用が奏される。
【００２２】
より好ましい方案として、前記ＬＥＤランプ１０は前記制御スイッチ９の外縁を取り囲むように設けられる。
【００２３】
使用時には、前記シガレットライタープラグを前記自動車のシガレットライターソケットに差し込めば、コントローラが電源を得て起動する。芳香消臭を行いたい場合には、制御スイッチを押下することで、前記制御スイッチが前記コントローラに信号を送信する。コントローラは、信号を受信すると前記ターボファンを起動し、前記ＬＥＤランプを駆動して点灯させる。車内の空気は、ターボファンの作用により前記吸気口から吸入され、芳香源を有するケーシング内部を経由した後に、ターボファンの作用によって前記排気口から排出される。継続的な空気循環の中で、車内の空気に徐々に香りが広がり、芳香消臭が実現される。停止時には、再び制御スイッチを押下することでコントローラが起動してターボファンを停止し、ＬＥＤランプが消灯する。外部機器に充電したい場合には、充電を要する外部機器を差し込み、前記ＵＳＢインターフェースを介して車載芳香消臭器に接続する。このとき、コントローラは充電回路を起動し、前記外部機器に充電するよう制御する。
【００２４】
当業者であれば、以上の技術方案及び構想に基づいて各種の変更及び変形が可能である。なお、これらすべての変更及び変形は、いずれも本実用新案登録請求の範囲に含まれる。
【図１】
0003212444.tif 000003
【図２】
0003212444.tif 000004
【図３】
0003212444.tif 000005
【図４】
0003212444.tif 000006
【手続補正書】
【提出日】平成29年7月10日(2017.7.10)
【手続補正１】
【補正対象書類名】実用新案登録請求の範囲
【補正対象項目名】全文
【補正方法】変更
【補正の内容】
【実用新案登録請求の範囲】
【請求項１】
ケーシングを含む車載芳香消臭器であって、
前記ケーシングにはコントローラ及び芳香源が内蔵され、前記ケーシングの表面にはＵＳＢインターフェースと電源プラグが設けられ、前記ＵＳＢインターフェースは充電回路を介して前記コントローラに接続され、前記コントローラは電源プラグに電気的に接続され、
前記ケーシングの表面には、排気口が更に設けられていることを特徴とする車載芳香消臭器。
【請求項２】
前記ケーシングの表面には吸気口が更に設けられ、前記ケーシングにはターボファンが内蔵され、
前記ターボファンの排気口は前記ケーシングの排気口を向いており、
前記コントローラは、前記ターボファンと制御スイッチにそれぞれ電気的に接続され、
前記制御スイッチはケーシングの表面に設けられることを特徴とする請求項１記載の車載芳香消臭器。
【請求項３】
前記ケーシングは上下２つの部分に分割され、前記ＵＳＢインターフェースはケーシング上部に位置し、前記電源プラグはケーシング下部の基端に位置し、ケーシング上部と下部は回転可能に接続されることを特徴とする請求項１記載の車載芳香消臭器。
【請求項４】
前記吸気口は前記ケーシング上部に位置し、前記ケーシングの排気口は前記ケーシングの先端部に位置することを特徴とする請求項２記載の車載芳香消臭器。
【請求項５】
前記ケーシングの表面にはＬＥＤランプが更に設けられ、前記ＬＥＤランプは前記コントローラに電気的に接続されることを特徴とする請求項２記載の車載芳香消臭器。
【請求項６】
前記ＬＥＤランプは前記制御スイッチの外縁を取り囲むように設けられることを特徴とする請求項５記載の車載芳香消臭器。